(57)【特許請求の範囲】
【請求項１】
合成樹脂シート材により形成され、開口部を残して周縁部分をシールした少なくとも二つの収納部を有し、一方の収納部には目的に応じた用途物を収納し、他の収納部には線材を折曲して略Ｕ字形を形成するとともに、その上端を内折れ又は外折れさせて略Ｕ字形の内側又は外側に平行させて形成したクリップの挟着一端部を挿着してクリップを少なくとも具備させ、クリップの挟着他端部を被装着部への係止部とし、係止部と収納部側とで被装着部を挟持するようにしてなるクリップ付き装着具。
【請求項２】
合成樹脂シート材により形成され、開口部を残して周縁部分をシールした少なくとも二つの収納部を有し、一方の収納部には通気部を形成して揮発成分などの発散成分含有材を収納し、他の収納部には線材を折曲して略Ｕ字形を形成するとともに、その上端を内折れ又は外折れさせて略Ｕ字形の内側又は外側に平行させて形成したクリップの挟着一端部を挿着してクリップを少なくとも具備させ、クリップの挟着他端部を被装着部への係止部とし、係止部と収納部側とで被装着部を挟持するようにしてなるクリップ付き装着具。
【請求項３】
合成樹脂素材の表シート材裏側に、少なくとも二重に合成樹脂シート材を積層するとともに、開口部を残して周縁部分をシールして収納部を形成し、表シート材側の収納部は出し入れ可能な目的に応じた用途物の収納部とし、裏側の収納部は装着部とし、少なくともここに線材を折曲して略Ｕ字形を形成するとともに、その上端を内折れ又は外折れさせて略Ｕ字形の内側又は外側に平行させて形成したクリップの挟着一端部を差込み、クリップの挟着他端部を被装着部への係止部とし、係止部と収納部側とで被装着部を挟持するようにしてなるクリップ付き装着具。
【請求項４】
合成樹脂素材の表シート材裏側に、少なくとも二重に合成樹脂シート材を積層するとともに、開口部を残して周縁部分をシールして収納部を形成し、表シート材側の収納部は、通気部を残して開口部を閉止可能として揮発成分などの発散成分含有材を収納し、少なくとも裏側の収納部に線材を折曲して略Ｕ字形を形成するとともに、その上端を内折れ又は外折れさせて略Ｕ字形の内側又は外側に平行させて形成したクリップの挟着一端部を差込み、クリップの挟着他端部を被装着部への係止部とし、係止部と収納部側とで被装着部を挟持するようにしてなるクリップ付き装着具。
【請求項５】
二つの収納部の内、裏側の収納部は、裏側収納部の両側にクリップ差込み収納部を形成し、若しくは、両側部に位置したクリップ差込み収納部として形成してなる請求項１〜４のいずれかに記載のクリップ付き装着具。
【請求項６】
収納部にデータ送受信可能なＩＣチップを収納した請求項１〜５のいずれかに記載のクリップ付き装着具。
【発明の詳細な説明】
技術分野
本発明は、携帯物などに簡便に装着して使用することができ、特に被服類に装着して使用することができ、かつファイルの背表紙などにも好適に使用することができるクリップ及び多目的クリップ付き装着具に関する。
背景技術
従来、香料などの揮発分を含む匂い袋があるが、鎖類で胸に掛けるか、ポケットに入れておくものであり、袋の工夫などがなされている（例えば、特開平１１−３２８２２号公報参照）。
一方、クリップは種々形態のものが開示されているが、いずれも２つのものを挟み付けるものとして使用されている。
また、書類を冊子状に束ねるファイルなどの背表紙には、両側端部を接着等により貼り付けた略矩形縦長状の透明合成樹脂シートがあり、背見出し紙等を挿入できるようにしてある。
このようなファイルに背見出し紙等などを挿入する方法は、ファイルなどを開いて反転させ、挿入口を開き、そこに背見出し紙等を挿入するものである。この作業は、ファイルなどを反転させなければならないため手間取るものであった。
発明の開示
本発明は、上記のような従来の発想とは異なった着眼に立ち、携帯に便利であり、かつ見栄えの良く、特に被服に或いはファイルの背表紙などに簡便に装着できるクリップ及び多目的クリップ付き装着具を提供せんとするものである。
上記課題を解決するために、本発明は、合成樹脂シート材により形成された少なくとも一つの収納部を有し、収納部には目的に応じた用途物を収納し、かつ、挟着部を形成したクリップの挟着一端部を挿着してクリップを具備させ、クリップの挟着他端部を被装着部への係止部としてなるクリップ付き装着具を構成させたことを特徴とし、好ましくは、合成樹脂シート材により形成された少なくとも二つの収納部を有し、一方の収納部には目的に対応する用途物を収納し、或いは通気部を形成して揮発成分などの発散成分含有材を収納し、他の収納部には挟着部を形成したクリップの挟着一端部を挿着してクリップを少なくとも具備させ、クリップの挟着他端部を被装着部への係止部としてクリップ付き装着具を構成させる。
また、本発明は、合成樹脂素材の表シート材裏側に、少なくとも二重に合成樹脂シート材を積層するとともに、開口部を残して周縁部分をシールして収納部を形成し、表シート材側の収納部は出し入れ可能な目的に対応する用途物の収納部とし、或いは通気部を保って開口部を閉止可能として揮発成分などの発散成分含有材を収納し、裏側の収納部は装着部とし、少なくともここに挟着部を形成したクリップの挟着一端部を差込み、クリップの挟着他端部を被装着部への係止部としてクリップ付き装着具を構成させたことも特徴とする。
上記における二つの収納部の内、裏側の収納部は、裏側収納部の両側にクリップ差込み収納部を形成したものとし、若しくは、両側部に位置したクリップ差込み収納部として形成したものとすることができる。好ましくは、収納部にデータ送受信可能なＩＣチップを収納したものとする。
これらクリップ付き装着具に用いるクリップとしては、線材を略Ｕ字形又は略コの字形に折曲して挟着一端部を形成し、その上端を外折れさせて略Ｕ字形又は略コの字形の外側に平行となるように折曲して挟着他端部を形成し、該挟着他端部の幅をファイルの背表紙の幅以下としたクリップや、線材を略Ｕ字形又は略コの字形に折曲して挟着一端部又は挟着他端部を形成し、その上端を内折れ又は外折れさせて略Ｕ字形又は略コの字形の内側又は外側に平行となるように折曲して挟着他端部又は挟着一端部を形成し、内折れ又は外折れさせた一方の挟着一端部又は挟着他端部の下端部の位置を、他方の挟着一端部又は挟着他端部の下端部の位置よりも上方に形成したクリップや、線材を略Ｕ字形又は略コの字形に折曲して挟着一端部を形成し、その上端を内折れ又は外折れさせて略Ｕ字形又は略コの字形の内側又は外側に平行となるように折曲し、その両端部を線材の直径より厚さのある挟持具により連結させて挟着他端部を形成したクリップや、データ送受信可能なＩＣチップを挟着一端部に具備させたクリップなどがある。
本発明によれば、用途物として、例えば植物、化粧品、医薬品などの香気成分或いは薬効成分などを具備させた揮発成分その他の発散成分の含有材、その他の所望用途物とクリップとを一体的に保持させた携帯装着具を提供することができ、これをポケットなどに着脱自在に止着して携帯することができ、所望の香気や薬効などを発散させることができる。装着は被服などに限らず、サイフや名刺入れ、本、その他を対象とすることができ、栞などとして挟着することもできる。特にファイルの背表紙などに用いるのが好適である。所望用途物は例えば、名札、通行証、ＩＣチップ内蔵の非接触型データ送受信シート、その他任意でよい。表シート材の表側には装飾を表すことができ、また、シート状の液晶表示やＬＥＤ表示などを具備させることにより、名前などを表示して名札の如き表示効果を奏させることもできる。
【図面の簡単な説明】
図１は、本発明の一例の携帯装着具を示し、（Ａ）はその表面図、（Ｂ）は裏面図、（Ｃ）は横断面図である。
図２は、図１の収納体を示し、（Ａ）はその裏面図、（Ｂ）は側面図、（Ｃ）は横断面図、（Ｄ）は裏シート材の端部を示す部分断面図である。
図３は、図１のクリップの正面図である。
図４は、本発明の携帯装着具の他の一例の裏面図である。
図５は、図４の携帯装着具の概略側断面図である。
図６〜８は、本発明の携帯装着具の収納体の一例を示した裏面図である。
図９は、挟着他端部の先端部に合成樹脂材を融着させた本発明の携帯装着具のクリップの一例を示した正面図であり、（Ａ）はチューブ状に形成、（Ｂ）は球状に形成したものである。
図１０は、一方の挟着一端部の下端部の位置を他方の挟着一端部の下端部の位置よりも上方に位置させた本発明の携帯装着具のクリップの一例を示した正面図である。
図１１は、ファイルの背表紙などに装着しやすくした本発明の携帯装着具のクリップの一例を示した正面図である。
図１２の（Ａ）は、被装着部に強く挟持する構成とした本発明の携帯装着具のクリップの一例を示した正面図、（Ｂ）は（Ａ）の拡大側面図である。
図１３は、図１２のクリップの変形例を示した正面図である。
図１４（Ａ）〜（Ｃ）は、本発明の携帯装着具の使用例を示した概略斜視図又は正面図である。
図１５は、図１の携帯装着具の異なる一例の裏面図である。
図１６は、ＩＣチップ内蔵の例を示す形態の裏面図である。
発明を実施するための最良の形態
図面を用いて本発明の一例の実施形態を説明する。
図１は一例としての本発明のクリップ付き装着具を示しており、図２はその収納体、図３はクリップを示している。符号１はクリップ付き装着具、２は収納体、３はクリップである。
収納体２は、装飾或いは名札などの用途に合う大きさに象った合成樹脂乃至透明合成樹脂素材の表シート材４を形成し、この裏面に中シート材５、裏シート材６の二枚の合成樹脂素材を積層し、開口部を除いて周縁部分を熱融着、接着剤などによりシールして、表側収納部７、裏側収納部８を形成してなる。この際、裏側収納部８の両側に、クリップの挟着一端部３ａを差込み可能なクリップ差込み収納部８ａが区画されるように、予め中シート材５と裏シート材６の両側端から適宜間隔をおいた内側位置を両側端に沿ってシールして形成してなる。
各シート材は、平坦シート材の積層でもよく、図１（Ｃ）のように、裏シート材６を圧空真空成形などの熱成形により或いは射出成形によって、周縁部を表方向に若干立ち上げて立体化させた受け形ケース状として形成し、この表側に中シート材５、表シート材４を張設するようにして形成することができる。
このケース状の裏シート材６は、上縁を除く表側周縁部に、若干の段差を持たせた二段の段部６ａ、６ａを設け、両側端の裏側縁部に外側に露出したクリップ３の垂直部３ｃが当接可能な収まり部６ｂを形成したものとすることができる。中段の段部６ａに中シート材５の縁部をシールし、表側の段部６ａに表シート材４の縁部をシールすればよい。
中シート材５の上端は、表シート材４と同高以下の高さとし、図では適度に低く設定し、その上縁沿いに表シート材４との間をシールしない開口部９とし、表側収納部７内に収納した収納物の発散成分が外方に発散可能としてある。
裏シート材６の上端は、上記中シート材５の開口部９と同位置乃至は下位置に設定し、その上縁沿いはシールしない開口部としてある。
図４又は図５には、収納体２の他の一例が記載されている。
この収納体２は、中シート材５の上端の高さを、表シート材４及び裏シート材６よりも高く形成し、開口部を除いて周縁部分を熱融着、接着剤などによりシールし、表側収納部７、裏側収納部８を形成してなるものである。
表側収納部７に名札などのカード１０等を挿入し、裏側収納部８にクリップ３の挟着一端部３ａを差込むことにより名札などとして使用することができる。
さらに、収納体２は、図６に示すように、表側収納部７及び裏側収納部８を縦長状に形成することや、図７に示すように、中シート材５の上端を上方に延設した上端片１１を形成することや、図８に示すように、前記上端片１１の面上に円形状の孔１２を形成した形状にすることができる。
図示しないが、一の収納部を有する収納体２としてもよい。この場合、中シート材５を使用せず、表シート材４及び裏シート材６を、開口部を除いて周縁部分を熱融着、接着剤などによりシールし、一の収納部を形成したものを収納体２とすることができる。
クリップ３は、図１〜図３に示すように、クリップ差込み収納部８ａ内に挿入する挟着一端部３ａと、収納部外側に露出して被装着部への挟着部となる挟着他端部３ｂとを、該他端部３ｂの内側に挟着一端部３ａが位置するように鋼線材を折曲して形成し、両端部に対する表裏方向への適度（指先での加圧力程度）な加圧に対して復元力が作用するものとして形成してなっている。
図３では、鋼線材を折曲してＵ字形を形成するとともに、その上端を内折れさせてＵ字形の内側に平行させて形成し、或いは図示しないが、抜けやすさ防止のために端部をさらに内側に折返し沿わせて挟着一端部３ａを形成し、或いはまた、この一端部を内方にさらに小Ｕ字形状に折曲し形成して、両端部で内外方向に挟着できるように形成し、この内側の挟着一端部３ａをクリップ差込み収納部８ａ内に差込んだ状態において、外側の挟着他端部３ｂの垂直部３ｃは上記裏シート材６の収まり部６ｂ内に収まり、Ｕ字形状の下端部３ｄが裏シート材６の下方に突出して配設されるように形成してある。挟着一端部３ａの面上にプレス加工などで傷を付けて抜けにくくしてもよい。
なお、クリップは合成樹脂製でもよく、その場合、一端部は板面状であってもよく、また、上記折曲形状は図示以外の適宜形状とすることができる。
図１〜図３のクリップ付き装着具１は、クリップ３の挟着一端部３ａをクリップ差込み収納部８内に装入して形成するものであるが、クリップ３の挟着一端部３ａを中シート材５又は裏シート材６に高周波又は熱などにより融着して形成してもよい。
図９〜図１３には、クリップ３の他の一例が記載されている。
図９（Ａ）に記載のクリップ３は、挟着一端部３ａの下端部にチューブ状のビニールなどの合成樹脂材１３を熱などにより融着して形成したものである。また、同図（Ｂ）に記載のクリップ３は、球状のビニールなどの合成樹脂材１４を熱などにより融着して形成したものである。これにより、抜けやすさの防止を図ることができ、さらに、挟着一端部３ａの先端で物を傷つけることがない。
図１０に記載のクリップ３は、一方の挟着一端部１５の下端部１５ａの位置を他方の挟着一端部１６の下端部１６ａの位置よりも上方に形成したものである。これにより、収納体２へ取り付ける際、まず、他方の挟着他端部１６を収納体２に挿入させ、次に、一方の挟着他端部１５を収納体２に挿入することができ、挿入作業が容易となる。どちらの挟着一端部１５，１６の下端部１５ａ，１６ａを上方に位置させてもよい。
また、図１０に示す挟着一端部３ａを挟着他端部３ｂとし、挟着他端部３ｂを挟着一端部３ａとすることもでき、このようにすれば被装着部に挟着するのが容易となる。
図１１に記載のクリップ３は、線材を折曲して略Ｕ字形を形成して挟着一端部３ａを形成するとともに、その上端を外折れさせて略Ｕ字形の外側に平行させて挟着他端部３ｂを形成してあり、或いは図示しないが、抜けやすさ防止のために端部をさらに内側に折返して沿わせたり、或いはまた、この他端部を内方にさらに略Ｕ字形状に折曲して形成したりすることができる。接着他端部３ｂの下端部に、図９で示したように、ビニールなどの合成樹脂材を熱などにより融着して形成してもよい。
このクリップ３の挟着他端部３ｂの幅を、書類などを冊子状に束ねるファイルの背表紙などの幅以下の幅で、好ましくは背表紙の幅に合わせて形成する。これにより、クリップ３をファイルなどの背表紙に装着することができ、背表紙の幅に合わせて形成すれば折り目に沿わせて装着でき、位置がずれることなく装着できる。また、挟着一端部３ａは、背表紙面上に位置するので確実に挟持することができる。
図１２に記載のクリップ３は、線材をＵ字形に形成して挟着一端部３ａとし、その上端を内折れさせて略Ｕ字形の内側に平行となるように形成し、その両端部を下方半円形状の挟持具１７により連結させて挟着他端部３ｂとしたクリップ３である。挟持具１７の厚さは、線材の直径よりも若干厚く形成されている。挟持具１７は、合成樹脂を射出成形することにより線材と一体に形成することができる。挟持具１７は、これに限定されるものではなく、両端部を挟持し、連結できるものであり、かつ、線径より厚みがあればよい。この両端部を挟持可能とした挟持具１７を別体として形成して連結することもできる。
このクリップ３は、挟持具１７の厚さが線材の直径よりも厚く形成されているので、被装着部１８に装着した際、接着他端部３ｂが若干外方に反り、被装着部１８を強く挟持して、外れにくくなる。
さらに、挟持具１７の表面（装着物を挟着する面）上に微小な凹凸を設け、ザラ付かせて形成すれば滑り止めとなり、より外れにくくなる。
また、図１３に示すように、線材を略Ｕ字形に形成して挟着一端部３ａとし、その上端を外折れさせて略Ｕ字形の外側に平行となるように形成し、その両端部を下方半円形状の挟持具１７により連結させて挟着他端部３ｂとしたクリップ３としてもよい。このように挟着一端部３ａよりも挟着他端部３ｂを長く形成してもよく、挟持具１７の厚さを線材の直径よりも厚く形成しておけば、上記図１２で示したクリップと同様の作用がある。
上記に示したクリップ３は、いずれも単独でクリップとして使用することが可能である。
表側収納部７には、所望の香気を発散する香気成分、或いは虫除け成分や皮膚保護成分、睡眠防止成分などを発散する薬効成分などを含浸或いは混入するなどしてなる揮発成分、その他の発散成分含有材を収納し、好ましくはシート状とした発散成分含有材を収納しておくことができ、目的に適応した成分を収納したものを着用することができる。
裏側収納部８にも同様な物を、例えば予備などとして、収納しておくことができ、クリップ差込み収納部８ａにはクリップ３の挟着一端部３ａを差し込んで止着してあり、挟着他端部３ｂを例えばポケットの口部内側に引っ掛けつつ、裏シート材６の下部を裏側から表方向に指先などで軽く押圧し、そのままポケット内に押し込めば、本携帯装着具１はポケットに簡単に片手で装着される。その他への着用も同様である。
なお、表シート材４の表面には、所望の装飾を表すことができるが、透明材として形成した場合は、表側収納部７内に氏名などの表示片や通行証などを挿入し、或いは透明であるか否かを問わず、シート状の上記発散成分含有材にＩＣチップを装着するか、ＩＣチップを具備させた非接触型データ送受信シートなどを収納して表示具として機能させることができる。
表シート材４の表面に、シート状の液晶表示又はＬＥＤ表示などを具備させ、氏名などを表示することもできる。
収納部７乃至８への収納は目的に応じることにより、多目的に適用可能である。例えば、図１４（Ａ）に示すように、所望の香気を発散する香気成分を収納しておけば、香りの出る栞として使用でき、図１４（Ｂ）に示すように、紙類１９等を束ねて装着し、表側収納部７に紙類１９等の内容を記載したカードを収納しておけば保管に便利である。また、図１４（Ｃ）に示すように、ファイルの背表紙などに取り付け、表側収納部７内に見出し等を記載したカードを挿入することもできる。ファイルなどの内容を記録したデータ送受信可能なＩＣチップを挿入しておけばファイルなどの管理が容易となる。
図１５は図１の実施例と異なる実施例であり、表側収納部７とクリップ差込み収納部８ａとが異なるものとなっている。
開口部９には、中シート材５の上縁に平行して、中シート材表側面と表シート材裏面に互いに係合離脱可能な凹凸条ファスナー２０を形成することにより、両シート材４，５間に止着可能な開口部９を形成し、さらに、ファスナー２０の左右端の下側に、若干高さに亘って中シート材５と表シート材４とをシールしない状態の通気間隙を形成し、内部に収納した収納物の発散成分が外方に発散可能な通気部２１としてある。通気部２１は通気可能であれば他の任意構成でよく、他の部位に形成してもよい。また、通気部は開口部の形成に代えて、表シート材４を通気性素材で形成したものとすることもできる。
裏シート材６の上端は、上記中シート材５の通気部２１の下位置でシール部分が合う高さに設定するのが好ましく、上縁は開口した状態としておいてよい。
また、図１５のように、両側のクリップ差込み収納部８ａを区画形成せず、裏側収納部８を形成しておいて、この内部両側にクリップ３の一端部３ａを差込むようにすることもできる。
さらに、盗難防止、通行チェック、確認などのために使用されるＩＣチップ内蔵の非接触型データ送受信装置（例えばシート状）２２を表裏側収納部７、８いずれかに収納することができるが、図１６に示すように、上記送受信装置をクリップ一端部３ａに固着させて、クリップをアンテナ兼用とさせ、裏側収納部８内に収納しておくこともできる。
【図１】
0003713044.tif 000002
【図２】
0003713044.tif 000003
【図３】
0003713044.tif 000004
【図４】
0003713044.tif 000005
【図５】
0003713044.tif 000006
【図６】
0003713044.tif 000007
【図７】
0003713044.tif 000008
【図８】
0003713044.tif 000009
【図９】
0003713044.tif 000010
【図１０】
0003713044.tif 000011
【図１１】
0003713044.tif 000012
【図１２】
0003713044.tif 000013
【図１３】
0003713044.tif 000014
【図１４】
0003713044.tif 000015
【図１５】
0003713044.tif 000016
【図１６】
0003713044.tif 000017